(57)【要約】      （修正有）【課題】一回の型枠支持だけでよく、施工コストを低減させ、施工効率を向上させ、工期を短縮し、二つの側型の間隔が調整可能であり、側型と底型が昇降可能であり、型枠の使用寿命を向上させる、鉄筋コンクリートセンター水溝施工のための金型を提供する。【解決手段】二つの側型と一つの底型とを含み、二つの側型が底型の左右両側に対称に設けられており、二つの側型の間に複数の側型調整装置１３が接続され、側型調整装置がその長さ方向に沿って伸縮自在であり、側型の頂部にその上下昇降を駆動する側型リフト装置７が接続されており、底型は、固定底型９と折り畳み可能なセグメント底型１０とを含み、固定底型の両側に折り畳み可能なセグメント底型が対称に可動に接続されており、折り畳み可能なセグメント底型が可動接続軸の周りに固定底型に対して回動し、底型の頂部にその上下昇降を駆動する型枠リフト装置１２が接続されている。【選択図】図３
0003233248.tif 000002
【実用新案登録請求の範囲】
【請求項１】
トンネル鉄筋コンクリートセンター水溝施工のための金型であって、二つの側型（８）と一つの底型とを含み、二つの側型（８）が底型の左右両側に対称に設けられており、
前記二つの側型（８）の間に複数の側型調整装置（１３）が接続され、側型調整装置（１３）はその長さ方向に沿って伸縮自在であり、側型（８）の頂部に、その上下昇降を駆動する側型リフト装置（７）が接続され、側型リフト装置（７）はその長さ方向に沿って伸縮自在であり、
前記底型は、固定底型（９）と折り畳み可能なセグメント底型（１０）とを含み、固定底型（９）の両側に折り畳み可能なセグメント底型（１０）が対称に可動に接続されており、折り畳み可能なセグメント底型（１０）が可動接続軸の周りに固定底型（９）に対して回動し、底型の頂部にその上下昇降を駆動する型枠リフト装置（１２）が接続され、型枠リフト装置（１２）がその長さ方向に沿って伸縮自在である、ことを特徴とする、トンネル鉄筋コンクリートセンター水溝施工のための金型。
【請求項２】
前記底型の固定底型（９）が折り畳み可能なセグメント底型（１０）に９０度ヒンジによって可動に接続されており、折り畳み可能なセグメント底型（１０）が固定底型（９）の周りに０−９０度回転できる、ことを特徴とする、請求項１に記載のトンネル鉄筋コンクリートセンター水溝施工のための金型。
【請求項３】
前記二つの折り畳み可能なセグメント底型（１０）は、底型の長さ方向に沿って複数組が設けられる調整機構によって固定底型（９）の周りに回転するように引っ張られ、各組の調整機構は、センター接続板（１１）と二つの折り畳み可能な底型調整装置（１４）とを含み、センター接続板（１１）が固定底型（９）の頂部に固定されており、センター接続板（１１）の左右両側に折り畳み可能な底型調整装置（１４）が対称にヒンジ接続され、折り畳み可能な底型調整装置（１４）の他端が折り畳み可能なセグメント底型（１０）の頂部にヒンジ接続され、折り畳み可能な底型調整装置（１４）がその走行方向に沿って伸縮自在である、ことを特徴とする、請求項２に記載のトンネル鉄筋コンクリートセンター水溝施工のための金型。
【請求項４】
前記型枠リフト装置（１２）が垂直に設けられており、型枠リフト装置（１２）の底端がセンター接続板（１１）の頂部に固定されている、ことを特徴とする、請求項３に記載のトンネル鉄筋コンクリートセンター水溝施工のための金型。
【請求項５】
前記側型調整装置（１３）は、側型（８）の長さ方向に沿って複数組が設けられており、各組は、上から下へと複数が設けられている、ことを特徴とする、請求項１に記載のトンネル鉄筋コンクリートセンター水溝施工のための金型。
【請求項６】
前記側型リフト装置（７）は、側型（８）の長さに沿って複数組が設けられており、各組に二つの側型リフト装置（７）が設けられており、二つの側型リフト装置（７）が側型先端の外側に対称に設けられており、側型リフト装置（７）の一端が側型上にヒンジ接続されており、側型リフト装置（７）の伸縮が側型（８）の昇降を駆動する、ことを特徴とする、請求項１に記載のトンネル鉄筋コンクリートセンター水溝施工のための金型。
【請求項７】
型枠リフト装置（１２）、側型調整装置（１３）、折り畳み可能な底型調整装置（１４）及び側型リフト装置（７）を制御するための操作室（３）をさらに含む、ことを特徴とする、請求項１〜６のいずれか１項に記載のトンネル鉄筋コンクリートセンター水溝施工のための金型。
【請求項８】
前記型枠リフト装置（１２）、側型調整装置（１３）、折り畳み可能な底型調整装置（１４）及び側型リフト装置（７）は、いずれも油圧シリンダである、ことを特徴とする、請求項７に記載のトンネル鉄筋コンクリートセンター水溝施工のための金型。
【考案の詳細な説明】
【技術分野】
【０００１】
本実用新案は、鉄筋コンクリートセンター水溝施工の技術分野に属し、具体的には、トンネル鉄筋コンクリートセンター水溝施工のための金型に関する。
【背景技術】
【０００２】
トンネル工事は、地下の岩層において建設され、トンネル構造全体は、地下水に囲まれている恐れがあるが、地下水は、どんなところにも入り込み、よく地質探査に対する認識不足、設計、施工及び運営管理の各段階の仕事の不備のため、トンネルの排水防止システムの欠陥をもたらし、トンネルの漏水現象を引き起こす。トンネルの漏水は、すでにトンネルに影響を与える主要な病害の一つになっており、トンネルの正常な運営と使用寿命に影響を与える重要な要素の一つである。このため、トンネルセンター水溝施工において、地下水流の侵蝕性影響を考慮する必要があり、トンネルセンター水溝を鉄筋コンクリート構造に設計し、従来の鉄筋コンクリートセンター水溝の施工ステップは（図１に示される）、型枠支持→トンネルインバート填充層コンクリート打設→脱型→鉄筋結束→再度型枠支持→センター水溝コンクリート打設→再度脱型であり、即ち型枠支持を行い、その後トンネルインバート填充層コンクリート打設を行い（センター水溝予備溝を保留する）、打設が完了下後に脱型し、その後センター水溝予備溝の内側に鉄筋を結束し、再度型枠支持を行ってセンター水溝コンクリート打設を行い、その後再脱型する。従来の鉄筋コンクリート施工には、以下の問題が存在する。１、側型と底型は分離され、側型は、一体式鋼製型枠を採用し、底型は、鋼板又は木板で製造され、毎回コンクリートを打設する前後に大量の時間をかけて型枠を組み立てる必要があり、施工時間と施工進度を深刻に遅らせ、２、センター水溝コンクリート打設が完了した後に型枠を脱型するのが困難で、破損しやすく、よく型枠を交換する必要があり、３、現場で組み立てられる型枠は、その全体性を保証することが難しく、打設プロセスにおいて型枠が爆発しやすく、排水溝の変形を招き、その機能に影響を与え、４、二回の型枠支持を必要として、一セットの型枠は、現場の工事需要を満たすことが難しく、いつの間にか工事コストを増加させ、５、センター水溝鉄筋の結束が完了し、型枠支持を施工する時、大型機械は、打設が完成した後のインバート充填層の表面に破壊をもたらす。
【考案の概要】
【考案が解決しようとする課題】
【０００３】
本実用新案は、従来の施工金型の上記欠点を解决し、トンネル鉄筋コンクリートセンター水溝施工のための金型を提供する。
【課題を解決するための手段】
【０００４】
本実用新案は、以下のような技術的解決手段を採用して実現され、トンネル鉄筋コンクリートセンター水溝施工のための金型であって、二つの側型と一つの底型とを含み、二つの側型が底型の左右両側に対称に設けられており、
前記二つの側型の間に複数の側型調整装置が接続され、側型調整装置はその長さ方向に沿って伸縮自在であり、側型の頂部にその上下昇降を駆動する側型リフト装置が接続されており、側型リフト装置はその長さ方向に沿って伸縮自在であり、
前記底型は、固定底型と折り畳み可能なセグメント底型とを含み、固定底型の両側に折り畳み可能なセグメント底型が対称に可動に接続されており、折り畳み可能なセグメント底型が可動接続軸の周りに固定底型に対して回動し、底型の頂部にその上下昇降を駆動する型枠リフト装置が接続されており、型枠リフト装置がその長さ方向に沿って伸縮自在である。
【０００５】
さらに、前記底型の固定底型が折り畳み可能なセグメント底型に９０度ヒンジによって可動に接続されており、折り畳み可能なセグメント底型が固定底型の周りに０−９０度回転できる。
【０００６】
さらに、前記二つの折り畳み可能なセグメント底型は、底型の長さ方向に沿って複数組が設けられる調整機構によって固定底型の周りに回転するように引っ張られ、各組の調整機構は、センター接続板と二つの折り畳み可能な底型調整装置とを含み、センター接続板が固定底型の頂部に固定されており、センター接続板の左右両側に折り畳み可能な底型調整装置が対称にヒンジ接続されており、折り畳み可能な底型調整装置の他端が折り畳み可能なセグメント底型の頂部にヒンジ接続されており、折り畳み可能な底型調整装置がその走行方向に沿って伸縮自在である。
【０００７】
さらに、前記型枠リフト装置が垂直に設けられており、型枠リフト装置の底端がセンター接続板の頂部に固定されている。
【０００８】
さらに、前記側型調整装置は、側型の長さ方向に沿って複数組が設けられており、各組は、上から下へと複数が設けられている。
【０００９】
さらに、前記側型リフト装置は、側型の長さに沿って複数組が設けられており、各組に二つの側型リフト装置が設けられており、二つの側型リフト装置が側型先端の外側に対称に設けられており、側型リフト装置の一端が側型上にヒンジ接続されており、側型リフト装置の伸縮が側型の昇降を駆動する。
【００１０】
さらに、型枠リフト装置、側型調整装置、折り畳み可能な底型調整装置及び側型リフト装置を制御するための操作室をさらに含む。
【００１１】
さらに、前記型枠リフト装置、側型調整装置、折り畳み可能な底型調整装置及び側型リフト装置は、いずれも油圧シリンダである。
【考案の効果】
【００１２】
本実用新案は、従来の技術と比べて、以下の有益な効果を有する。
１、本願の底型は、折り畳み可能な伸縮式に設計されているので、インバート充填層のコンクリート打設と中心溝のコンクリート打設は、一セットの型枠を使用して完了することができ、一回の型枠支持だけでよく、施工コストを低減させ、施工効率を大幅に向上させ、工期を短縮する。
２、本願の二つの側型の間隔は、調整可能であり、側型と底型は、昇降可能であり、施工効率を効果的に向上させるとともに、型枠の円滑な脱型を確保しやすく、脱型時の型枠の変形を減少させ、型枠の寿命を向上させ、再利用回数を増加させる。
３、本願の側型リフト装置は、側型の昇降を制御するだけでなく、さらに型枠全体の安定性を制御し、コンクリート打設品質を確保する。
４、本願の型枠は、取り外しが簡単で、再利用が可能である。
【図面の簡単な説明】
【００１３】
【図１】背景技術の概略図である。
【図２】本願の前面投影概略図である。
【図３】本願の側面投影概略図である。
【図４】底型の固定底型と折り畳み可能なセグメント底型が水平状態にある概略図である。
【図５】折り畳み可能なセグメント底型が固定底型に垂直である状態概略図である。
【図６】本願の実施プロセスにおける型枠支持の概略図である。
【図７】本願の実施プロセスにおいてインバート填充層コンクリートを打設する概略図である。
【図８】本願の実施プロセスにおいて底型を折り畳んで短縮し、側型の間隔を小さくして型締めする概略図である。
【図９】本願の実施プロセスにおける鉄筋結束の概略図である。
【図１０】本願の実施プロセスにおいてセンター水溝コンクリートを打設する概略図である。
【図１１】本願の実施プロセスにおいてリフト側型と底型を脱型する概略図である。
【図１２】図１１のＢ箇所の拡大図である。
【考案を実施するための形態】
【００１４】
以下では、特定の具体的な実施例により、本実用新案の実施形態を説明し、当業者は、本明細書に掲示される内容から、本実用新案のその他の利点及び効能を容易に理解することができる。
【００１５】
知るべきことは、本明細書に添付される図面に示される構造、比率、大きさ等は、いずれも明細書に掲示される内容に協力するためにのみ用いられ、この技術に詳しい人が理解して読むために用いられ、本実用新案の実施可能性を限定するための限定条件ではないので、技術的な実質的意味を持たず、いかなる構造の修飾、比率関係の変更又は大きさの調整は、本実用新案がもたらすことができる効能及び達成することができる目的に影響を与えることなく、本実用新案に掲示される技術的内容がカバーすることができる範囲内に属すべきである。また、本明細書に引用される「上」、「下」、「左」、「右」、「中間」及び「一」等の用語も、説明を明瞭にするためのものに過ぎず、本実用新案の実施可能な範囲を限定するためのものではなく、その相対関係の変更又は調整は、技術内容を実質的に変更することなく、本実用新案の実施可能な範囲とみなされる。
【００１６】
明細書に記載の「左右」、「横方向」とは、トンネル幅方向であり、「前後」とは、トンネル長さ方向、「上下」、「垂直」とは、トンネル高さ方向である。
【００１７】
図２〜図５を参照すると、本実用新案は、技術的解決手段を提供し、トンネル鉄筋コンクリートセンター水溝施工のための金型であって、二つの側型８と一つの底型含み、二つの側型８が底型の左右両側に対称に設けられており、
【００１８】
前記二つの側型８の間に複数の側型調整装置１３が接続され、側型調整装置１３はその長さ方向に沿って伸縮自在であり、側型調整装置１３の伸縮が二つの側型８の間隔調整を駆動し、側型８の頂部にその上下昇降を駆動する側型リフト装置７が接続されており、側型リフト装置７はその長さ方向に沿って伸縮自在であり、側型リフト装置７の伸縮が側型８の上下昇降を駆動し、
【００１９】
前記底型は、固定底型９と折り畳み可能なセグメント底型１０とを含み、固定底型９の両側に折り畳み可能なセグメント底型１０が対称に可動に接続されており、折り畳み可能なセグメント底型１０が可動接続軸の周りに固定底型９に対して回動し、それにより、底型が幅方向に沿って折り畳んで伸縮することを実現し、底型の頂部にその上下昇降を駆動する型枠リフト装置１２が接続されており、型枠リフト装置１２がその長さ方向に沿って伸縮自在であり、型枠リフト装置１２の伸縮が底型の上下昇降を駆動する。
【００２０】
前記底型の固定底型９が折り畳み可能なセグメント底型１０は、９０度ヒンジによって可動に接続されており、折り畳み可能なセグメント底型１０が固定底型９の周りに０−９０度回転でき、それにより、底型の折り畳み伸縮を実現し、折り畳みセグメント底型１０が固定底型９に水平である場合（図４に示される）、即ち底型が伸長し、折り畳みセグメント底型１０が固定底型９に垂直である場合（図５に示される）、即ち底型が短縮する。
【００２１】
折り畳み可能なセグメント底型１０と固定底型９との接続箇所に、折り畳み可能なセグメント底型１０と固定底型９は、いずれも４５°の面取りが設けられる。
【００２２】
前記二つの折り畳み可能なセグメント底型１０は、底型の長さ方向に沿って複数組が設けられる調整機構によって固定底型９の周りに回転するように引っ張られ、各組の調整機構は、センター接続板１１と二つの折り畳み可能な底型調整装置１４とを含み、センター接続板１１が固定底型９の頂部に固定されており、センター接続板１１の左右両側に折り畳み可能な底型調整装置１４が対称にヒンジ接続されており、折り畳み可能な底型調整装置１４の他端が折り畳み可能なセグメント底型１０の頂部にヒンジ接続されており、折り畳み可能な底型調整装置１４がその走行方向に沿って伸縮自在である。
【００２３】
前記型枠リフト装置１２が垂直に設けられており、型枠リフト装置１２の底端がセンター接続板１１の頂部に固定されており、型枠リフト装置１２の先端が施工用のメイントラス２の底部に固定されている。
【００２４】
前記側型調整装置１３は、側型８の長さ方向に沿って複数組が設けられており、各組は、上から下へと複数が設けられている。
【００２５】
前記側型リフト装置７は、側型８の長さに沿って複数組が設けられており、各組に二つの側型リフト装置７が設けられており、二つの側型リフト装置７が側型先端の外側に対称に設けられており、側型リフト装置７の一端が側型上にヒンジ接続されており、他端が施工用のメイントラス２上にヒンジ接続され、側型リフト装置７の伸縮が側型８の昇降を駆動し、側型リフト装置７は、調整型枠支持が完了した後に型枠全体の安定性を制御し、コンクリート打設の品質を確保することができる。
【００２６】
メイントラス２上に固定されおり、型枠リフト装置１２、側型調整装置１３、折り畳み可能な底型調整装置１４及び側型リフト装置７を制御するための操作室３をさらに含む。
【００２７】
前記型枠リフト装置１２、側型調整装置１３、折り畳み可能な底型調整装置１４及び側型リフト装置７は、いずれも油圧シリンダである。
【００２８】
本願の金型は、一回型枠支持を行った後にインバート填充層６コンクリート打設を完了することができ、センター水溝１コンクリート打設を完了することができ、複数回の型枠支持を必要としない。
【００２９】
本願の実施プロセス、
１．機器が位置につき、前記メイントラス２を指定の位置に移動し、
２．型枠支持を行い（図６に示される）、前記底型の二つの折り畳み可能なセグメント底型１０をいずれも固定底型９に水平であるように調整し、型枠リフト装置１２と側型リフト装置７によって底型と側型８を下降させ、側型調整装置１３によって二つの側型８の間の距離を調整し、型枠支持を行い、
３．インバート填充層コンクリート及び施工センター水溝予備溝を打設し（図７に示される）、側型８と底型の支持が完了した後、インバート填充層６コンクリートを打設し、打設が完了した後に形成される凹溝がセンター水溝予備溝５であり、
４．底型を折り畳んで短縮し、側型の間隔を小さくして型締めし（図８に示される）、インバート填充層６コンクリートが所定の強度に達した後、折り畳み可能な底型調整装置１４を短縮することによって、前記底型の二つの折り畳み可能なセグメント底型１０をいずれも固定底型９に垂直であるように調整し、その後側型調整装置１３を短縮することによって、二つの側型８が二つの折り畳み可能なセグメント底型１０に接触するまで二つの側型８の間隔を小さくし、型締めを完了し、
５．鉄筋を結束し、センター水溝コンクリートを打設し、型締めが完了した後、底型と側型８をリフトさせ、その後センター水溝予備溝５の内壁上に結束４を鉄筋し（図９に示される）、鉄筋４の結束が完了した後、底型と側型８を下降し、側型８、底型の外側とセンター水溝予備溝５の内壁との間にセンター水溝１コンクリートを打設し（図１０に示される）、鉄筋４の結束が完了した後、底型と側型８を下降し、側型８、底型の外側とセンター水溝予備溝５の内壁との間にセンター水溝１コンクリートを打設し（図１０に示される）、コンクリートを打設する時、側型８上に事前に付着式バイブレータを早期に取り付け、コンクリート打設の品質を確保することができる。
６．側型と底型をリフトさせて脱型し（図１１〜１２に示される）、センター水溝１コンクリートが所定の強度に達した後、側型調整装置１３を短縮することによって、二つの側型８の間隔を小さくし、型枠リフト装置１２と側型リフト装置７によって底型、側型８をリフトさせて脱型し、脱型した後にコンクリートのメンテナンスを行う。
【００３０】
型枠リフト装置１２と側型調整装置１３を前後にずれて設ける。
【００３１】
上記の実施例は、本実用新案の原理及びその効果を例示的に説明するだけであり、本実用新案を限定するために用いられるものではない。いかなる当業者は、本実用新案の精神及び範疇を逸脱することなく、上記実施例を修飾または変更することができる。したがって、属する技術分野において通常の知識を有する者が、本実用新案に掲示された精神的及び技術的思想から逸脱することなく、完了したすべての同等の修飾又は変更は、依然として本実用新案の請求項に含まれるものとする。
【符号の説明】
【００３２】
１−センター水溝、２−メイントラス、３−操作室、４−鉄筋、５−センター水溝予備溝、６−インバート填充層、７−側型リフト装置、８−側型、９−固定底型、１０−折り畳み可能なセグメント底型、１１−センター接続板、１２−型枠リフト装置、１３−側型調整装置、１４−折り畳み可能な底型調整装置
【図１】
0003233248.tif 000003
【図２】
0003233248.tif 000004
【図３】
0003233248.tif 000005
【図４】
0003233248.tif 000006
【図５】
0003233248.tif 000007
【図６】
0003233248.tif 000008
【図７】
0003233248.tif 000009
【図８】
0003233248.tif 000010
【図９】
0003233248.tif 000011
【図１０】
0003233248.tif 000012
【図１１】
0003233248.tif 000013
【図１２】
0003233248.tif 000014